(57)【要約】    【課題】実釣時に釣糸の引っ掛かりを確実に防止すると共に釣人の円滑な動作を可能とする釣用ベストの提供。    【解決手段】この釣用ベスト１０は、前身頃１１に腰ポケット部１７を備える。腰ポケット部１７は、メインポケット２５と、これに設けられたカバー２８とを有する。メインポケット２５の前面２６に環状部３４が複数設けられている。ピンオンリール３５等は、この環状部３４に取り付けられる。カバー２８は、このピンオンリール３５を覆う。カバー２８の下縁部は開放されており、釣人は、カバー２８の下部からラインカッター３６等を引き出すことができる。メインポケット２５は、くさび形に形成されており、その外側縁部３３は、前身頃１１に滑らかに連続している。カバー２８は、上カバー３７と下カバー３８とを有する。【選択図】図４
2005220462.tif 000002
【特許請求の範囲】
【請求項１】
前身頃及び後身頃と、
前身頃の下部に設けられたメインポケットと、
メインポケットの前面に設けられた小道具装着部と、
メインポケットの前面を覆い、小道具装着部に取り付けられる小道具を囲繞するカバーとを有する釣用ベスト。
【請求項２】
上記カバーは、上記メインポケットの上部を覆う上カバーと上記メインポケットの下部を覆う下カバーとを有し、上カバーの下縁部は、下カバーの上縁部に接離可能に重畳されている請求項１に記載の釣用ベスト。
【請求項３】
上記小道具装着部は、左右方向に複数並設されている請求項１又は２に記載の釣用ベスト。
【請求項４】
上記メインポケットの内側縁部は上記前身頃から前方に膨出されており、上記メインポケットの外側縁部は上記前身頃に滑らかに連続するように縫着されている請求項１ないし３のいずれかに記載の釣用ベスト。
【請求項５】
上記前身頃又は後身頃のいずれか一方に設けられたバックル及び上記前身頃又は後身頃のいずれか他方に設けられ、バックルに掛け回されることによって胴囲寸法を調整する調整ベルトを有し、
上記前身頃と上記後身頃との境界部分は、内側に折り込まれた状態で縫着されている請求項１ないし４のいずれかに記載の釣用ベスト。
【請求項６】
上記前身頃の上部にサブポケットが設けられており、
サブポケットは、前後方向に折りたたまれるための蛇腹が形成されている請求項１ないし５のいずれかに記載の釣用ベスト。
【請求項７】
上記前身頃の上縁部と上記後身頃の上縁部との間に、幅寸法が１０ｍｍ〜１００ｍｍの弾性ベルトが架け渡されている請求項１ないし６のいずれかに記載の釣用ベスト。
【請求項８】
上記後身頃の上縁部に上方に延びるベルト取付プレートが設けられており、
上記弾性ベルトの後身頃側端部は、当該取付プレートに連結されている請求項７に記載の釣用ベスト。
【発明の詳細な説明】
【技術分野】
【０００１】
本発明は、魚釣りの際に釣人が着用する釣用ベストに関するものである。
【背景技術】
【０００２】
釣りのジャンルには、投釣り、磯釣り、ルアー釣り等の様々なものがあり、各ジャンルの釣りでは、それに適した仕掛けが作成される。実釣時において釣人は、釣場の状況（波や風の強さ、潮流の速さ等）に合わせて、針、釣糸のサイズの変更や錘の着脱等の仕掛けの調整を常に行い、自己の所望するスペックの仕掛けを作成する。そのため、実釣時においては、釣人が針、釣糸、錘等の仕掛けの調整部品や釣糸を切断するためのラインカッター等の小道具を常時携帯しておけば、釣人にとって非常に便利である。
【０００３】
釣人が仕掛けの調整部品や小道具を常時携帯するために、従来から釣人は、釣用ベストを着用する（例えば特許文献１〜特許文献５参照）。釣用ベストは、仕掛けの調整部品を収納するポケットや、小道具が係止される係止部を備えており、釣人は、これらポケットや係止部を有効活用することにより、所望の仕掛けの調整部品や小道具を常時携帯することができる。
【０００４】
通常、小道具は、釣用ベストに取り付けられるピンオンリールに係止される。したがって、このピンオンリールや小道具は、実釣時に釣用ベストの表面に露出する。従来から、釣用ベストの表面に露出したピンオンリールに釣糸が絡むことを防止するために、種々の改良がなされている（例えば、特許文献６〜特許文献８参照）。
【０００５】
【特許文献１】特開２００１−６４８１４号
【特許文献２】特開２０００−８２０５号
【特許文献３】特開平１０−２５７８４３号公報
【特許文献４】特開平１０−１４０４０８号公報
【特許文献５】特開平９−１１１５１０号公報
【特許文献６】登録実用新案公報第３０３３３２８号
【特許文献７】特開２０００−２５６９０７号
【特許文献８】特開平１０−３３１００９号公報
【発明の開示】
【発明が解決しようとする課題】
【０００６】
従来の釣用ベストでは、通常、仕掛けの調整部品等が収納されるポケットは外部に立体的に膨出した形状である。また、小道具が取り付けられるピンオンリールは、所定のカバーによって被覆されることはあっても（上記特許文献７等）、当該小道具は露出したままで係止される。特に投釣りの場合、釣人は、仕掛けを遠投するためにフルキャスティングを行う。このため、キャスティング時に釣糸がポケットの角部に当たったり、場合によっては釣糸が小道具に引っ掛かってしまったりすることがあり、その場合には飛距離が小さくなったり、釣糸が切断されてしまったりすることがある。
【０００７】
そこで、本発明の目的は、投釣りなどのフルキャスティングが行われる釣りにおいても、釣糸の引っ掛かりを確実に防止すると共に釣人がキャスティング動作を円滑に行える釣用ベストを提供することである。
【課題を解決するための手段】
【０００８】
(1) 上記目的が達成されるため、本発明に係る釣用ベストは、前身頃及び後身頃と、前身頃の下部に設けられたメインポケットと、メインポケットの前面に設けられた小道具装着部と、メインポケットの前面を覆い、小道具装着部に取り付けられる小道具を囲繞するカバーとを有することを特徴とするものである。
【０００９】
この構成によれば、実釣時に使用される小道具（典型的にはラインカッター等）は、メインポケットの前面に配置される。このメインポケットの前面にはカバーが配置されているから、上記小道具は当該カバーによって囲繞される。このため、実釣時において小道具が前身頃の前面側に露出することはない。したがって、釣人が実釣時に激しい動作をした場合（典型的には、釣人が釣竿を利用して仕掛けをフルキャストした場合等）であっても、釣糸や釣人の腕等が上記小道具に引っ掛かることはなく、釣人は、円滑な動作を行うことができる。
【００１０】
一方、上記カバーは、メインポケットの前面を覆うものであるから、釣人は、メインポケットの下方から当該メインポケットと当該カバーとの間に手を挿入し、上記小道具を把持し操作することができる。通常、小道具はピンオンリール等を介して小道具装着部に取り付けられているから、釣人は、当該小道具を適宜下方に引き出して使用することができる。
【００１１】
しかも、メインポケットは前身頃の下部に設けられているから、釣人はピンオンリール等を介して小道具を引き出す際に、釣用ベストの他のポケット等が邪魔になることはない。加えて、釣人は、実釣時には通常自己の腰のあたりで小道具を操作するものであるから、メインポケットが前身頃の下部に設けられていることにより、小道具が収納されている位置と釣人が小道具を操作する位置とが近くなる。したがって、釣人は、小道具の操作をより円滑に行うことができる。なお、ピンオンリールが釣人の腰のあたりに配置されることにより、釣人にとってピンオンリールに取り付けられた小道具の引出範囲を広くとることができる。
【００１２】
(2) 上記カバーは、上記メインポケットの上部を覆う上カバーと上記メインポケットの下部を覆う下カバーとを有して構成される。この上カバーの下縁部は、下カバーの上縁部に接離可能に重畳されているのが好ましい。
【００１３】
この構成では、上記カバーが上カバーと下カバーとに二分割されているが、両者は、接合されることによって上記メインポケットの前面に沿って安定して配置される。したがって、上記カバーが二分割されていても、メインポケットの前面は確実に覆われる。しかも、釣人は、上カバーと下カバーとを互いに離反させることによって、両者の間から手を挿入し、上記小道具を把持することができる。したがって、釣人にとって、上記小道具の操作がよりしやすくなる。しかも、上記カバーが二分割されることにより、小道具の取付作業が容易となる。
【００１４】
(3) 上記小道具装着部は、左右方向に複数並設されているのが好ましい。
【００１５】
この構成では、各小道具装着部に様々な種類の小道具が取り付けられる。また、単一の小道具が取り付けられる場合には、当該小道具は、釣人にとって操作しやすい位置に配置されるという利点がある。
【００１６】
(4) 上記メインポケットの内側縁部は上記前身頃から前方に膨出されており、上記メインポケットの外側縁部は上記前身頃に滑らかに連続するように縫着されているのが好ましい。
【００１７】
この構成では、メインポケットの外側縁部が上記前身頃に滑らかに連続しているので、釣人が実釣時に激しい動作を行った場合（典型的には、釣人が釣竿を利用して仕掛けをフルキャストした場合等）であっても、釣糸や釣人の腕等がメインポケットに引っ掛かることはなく、釣人は、円滑な動作が可能となる。しかも、メインポケットの内側縁部は上記前身頃から前方に膨出されているから、メインポケットの容積は一定以上に確保され、必要な仕掛けの調整部品等がメインポケットに確実に収納される。
【００１８】
(5) 上記前身頃又は後身頃のいずれか一方に設けられたバックル及び上記前身頃又は後身頃のいずれか他方に設けられ、バックルに掛け回されることによって胴囲寸法を調整する調整ベルトが備えられているのが好ましい。さらに、上記前身頃と上記後身頃との境界部分は、内側に折り込まれた状態で縫着されているのが好ましい。
【００１９】
この構成では、調整ベルトによって胴囲寸法が調整されるので、当該釣用ベストは、様々な体格の釣人に合致する。しかも、調整ベルトが締め付けられたときには、上記前身頃と上記後身頃との境界部分が内側に絞り込まれることになるので、実釣時においてこの境界部分が釣人の腕や釣糸等と接触することはない。なお、この調整ベルトは、弾性を有するものであることが望ましい。これにより、調整ベルトは、実釣時に釣人の身体の動きに追従し、釣用ベストが釣人の身体にフィットする。
【００２０】
(6) 上記前身頃の上部にサブポケットが設けられているのが好ましい。このサブポケットは、前後方向に折りたたまれるための蛇腹が形成されているのが好ましい。
【００２１】
この構成では、サブポケットが設けられているので、より多くの仕掛けの調整部品が収納される。しかも、所要時には、このサブポケットが折り畳まれる。したがって、例えば釣人が仕掛けをフルキャストする場合に、このサブポケットに釣糸や釣人の腕等が接触することが防止される。
【００２２】
(7) 上記前身頃の上縁部と上記後身頃の上縁部との間に、幅寸法が１０ｍｍ〜１００ｍｍの弾性ベルトが架け渡されているのが好ましい。
【００２３】
この構成では、弾性ベルトが釣人の肩に掛け回されることによって、当該釣用ベストは、当該釣人の身体に確実に装着される。しかも、弾性ベルトの幅寸法が上記寸法に設定されることにより、釣人が実釣時において激しい動作をした場合であっても、釣用ベストが釣人の身体から容易にずれることはない。その結果、釣人の動作中に上記メインポケットやサブポケットが不用意に釣人の腕その他の部分に接触することはない。
【００２４】
(8) 上記後身頃の上縁部には、上方に延びるベルト取付プレートが設けられ、上記弾性ベルトの後身頃側端部は、当該取付プレートに連結されているのが好ましい。
【００２５】
この構成では、弾性ベルトがベルト取付プレートに連結されるから、当該弾性ベルトの伸縮に追従して後身頃が変位することが抑制される。すなわち、仮に弾性ベルトが後身頃に直接連結されている場合は、通常、後身頃が薄肉軽量の生地により構成されることから、弾性ベルトの伸縮に追従して後身頃が変位しやすく、実釣中に釣人の身体に対してずれやすい傾向にある。しかし、弾性ベルトがベルト取付プレートを介して後身頃に連結されることにより、釣人が激しい動作をした場合であっても、後身頃が釣人の身体に対して容易にずれてしまうことがない。
【発明の効果】
【００２６】
以上のように本発明によれば、前身頃の前面に小道具が露出することはなく、また、メインポケットやサブポケットが必要以上に膨出されることはないので、釣人は、たとえ仕掛けのフルキャスト等の激しい動作をした場合であっても、釣糸や自己の腕等が小道具、メインポケット又はサブポケットに引っ掛かったり、接触したりすることはない。その結果、釣人は、この釣用ベストを着用して例えば投釣り等の激しい動作を強いられる釣りを行ったとしても、違和感のない快適な釣りを行うことができる。
【発明を実施するための最良の形態】
【００２７】
以下、適宜図面が参照されつつ、好ましい実施形態に基づいて本発明が詳細に説明される。
【００２８】
図１は本発明の一実施形態に係る釣用ベストの正面図であり、図２は右側面図、図３は、背面図である。
この釣用ベスト１０は、釣人が着用するものであるが、特に投釣り等の激しい動作が行われる釣りに好適に使用される。釣用ベスト１０は、前身頃１１と、後身頃１２と、肩掛けベルト１３（弾性ベルト）とを備えている。
【００２９】
前身頃１１及び後身頃１２は、例えば透湿性防水生地（典型的にはゴアテックス（登録商標））等からなる。もっとも、前身頃１１及び後身頃１２を構成する生地は、ナイロン等その他種々の生地が採用され得ることは勿論である。前身頃１１及び後身頃１２は、透湿性防水生地が所定形状に裁断され、図２が示すように脇部にて縫い合わされている。また、前身頃１１及び後身頃１２の周囲に縁取りテープ１４が縫合されており、これらの縁部が補強されている。縁取りテープ１４は、既知の構成である。
【００３０】
前身頃１１は、右前身頃１５及び左前身頃１６とを有し、これらは左右対称に形成されている。右前身頃１５と左前身頃１６との間にはファスナー５７が取り付けられており、これにより、右前身頃１５と左前身頃１６とは着脱自在となっている。すなわち、前身頃１１は、その前面中央部で開閉自在となっている。
【００３１】
右前身頃１５は、腰ポケット部１７と胸ポケット１８（サブポケット）と、調整ベルト１９とを備えている。左前身頃１６は、腰ポケット部２０と胸ポケット２１（サブポケット）と、調整ベルト２２とを備えている。これら腰ポケット部１７、１８、胸ポケット１８、２１、調整ベルト１９、２２は、それぞれ左右対称に形成されている。
【００３２】
図２が示すように、後身頃１２は、左前身頃１６との境界部分２３の近傍にバックル２４を備えている。このバックル２４は、右前身頃１５と後身頃１２との境界部分の近傍にも取り付けられている。上記各調整ベルト１９、２２は、前方からバックル２４に挿通され、折り返されて再び前方側へ延ばされている（図１参照）。
【００３３】
図４は、釣用ベスト１０の要部拡大斜視図であり、右前身頃１５の腰ポケット部１７の構造を示している。なお、左前身頃１６の腰ポケット部２０の構造は、腰ポケット部１７の構造と左右対称に構成されているので、以下、腰ポケット部１７のみについて詳述される。
【００３４】
腰ポケット部１７は、メインポケット２５と、メインポケット２５の前面２６に設けられた小道具装着具２７と、メインポケット２５の前面２６を覆うカバー２８とを備えている。
【００３５】
メインポケット２５は、右前身頃１５の下部に設けられており、前身頃１１を構成する生地と同様の生地が右前身頃１５に縫いつけられることによって構成されている。メインポケット２５の上縁部２９及び内側縁部３０には、ファスナー３１が設けられており、摘み３２がスライドされることによってメインポケット２５が開閉される。メインポケット２５は、同図が示すように略くさび形に形成されている。具体的には、メインポケット２５の内側縁部３０は、右前身頃１５から前方に膨出されており、メインポケット２５の外側縁部３３は、右前身頃１５の前面に滑らかに連続している。
【００３６】
小道具装着具２７は、例えばナイロン製のテープからなり、メインポケット２５の前面２６に左右方向に沿って配置されている。本実施形態では、このテープは、その両端部及びその中間部分の４箇所が上記前面２６に縫い付けられており、したがって、５つの環状部３４が形成されている。これら各環状部３４に例えばピンオンリール３５が係止されるようになっており、ラインカッター３６等の小道具は、ピンオンリール３５に取り付けられる。すなわち、各環状部３４が小道具を取り付けるための小道具装着部を構成する。釣人は、ピンオンリール３５を所望の環状部３４に装着することができる。
【００３７】
カバー２８は、上カバー３７と下カバー３８とを備えている。上カバー３７及び下カバー３８は、前身頃１１を構成する生地と同様の生地からなり、それぞれ矩形に裁断されている。上カバー３７は、メインポケット２５の前面２６に縫い付けられている。具体的には、上カバー３７の上縁部３９及び側縁部４０が上記前面２６の上縁部及び側縁部に縫い付けられている。また、この上カバー３７の右側縁部には、スリット４１が設けられている。なお、このスリット４１は、上カバー３７が切り欠かれることによって構成されていてもよいし、上カバー４１の側縁部４０の一部がメインポケット２５の前面２６に敢えて縫い付けらないことによって構成されていてもよい。
【００３８】
上記調整ベルト１９（図１参照）は、このスリット４１に挿通され、腰ポケット部１７の内側に配置されるようになっている。一方、下カバー３８は、その側縁部４２が上記前面２６の側縁部に縫い付けられている。この下カバー３８は、その下縁部４３が上記前面２６の下縁部に沿うように配置される。
【００３９】
このように上カバー３７及び下カバー３８が上記前面２６に取り付けられることによって、カバー２８は、上記前面２６に沿って配置され、当該前面２６を確実に覆う。上カバー３７及び下カバー３８が取り付けられることによって、上カバー３７の下縁部４５と下カバー３８の上縁部４６とは、所定寸法ａだけ重なり合うようになっている。この重なり合った部分に面ファスナー４７が設けられている。面ファスナー４７としては、典型的にはマジックテープ（登録商標）が採用される。したがって、上カバー３７と下カバー３８とは、面ファスナー４７によって常時は接着されているが、釣人は、所望時に面ファスナー４７を開放して上カバー３７と下カバー３８とを分離することができる。なお、本実施形態では、カバー２８が上下に二分割されているが、単一の部材として構成されていてもよいことは勿論である。
【００４０】
図５は、釣用ベスト１０の要部拡大斜視図であり、右前身頃１５の胸ポケット１８の構造を示している。なお、左前身頃１６の胸ポケット２１の構造は、胸ポケット１８の構造と左右対称に構成されているので、以下、腰ポケット部１７のみについて詳述される。
【００４１】
胸ポケット１８は、本体４８と蓋４９とを備えている。これらは、前身頃１１を構成する生地と同様の生地から構成されている。本体４８は、右前身頃１５に縫い付けられている。本体４８は、上面に開口部を有する有底筒状に形成されており、その側面部５０及び底面部５１に蛇腹５２が形成されている。蛇腹５２は、本体４８の側面部５０及び底面部５１を内側に屈曲させる。したがって、本体４８は、常時は筒状に形成されているが、釣人は、所望時に側面部５０及び底面部５１を屈曲させることができ、これにより、本体４８は、前後方向に折り畳まれ、右前身頃１５に沿う姿勢になる。
【００４２】
一方、蓋４９は、前身頃１１を構成する生地と同様の生地から構成されており、矩形状を呈している。蓋４９の上縁部５３は、右前身頃１５に縫い付けられている。同図では、蓋４９は上方へ起立した状態となっているが、倒伏されることによって図１が示すように本体４８の上に重なるようになっている。図５が示すように、本体４８の上縁部５４と蓋４９の下縁部５５との間には面ファスナー５６が設けられている。面ファスナー５６としては、典型的にはマジックテープ（登録商標）が採用される。したがって、蓋４９は、面ファスナー４７によって常時は本体４８に接着されているが、釣人は、所望時に面ファスナー５６を開放して蓋４９を本体４８から分離することができる。これにより、釣人は、針や錘等の仕掛けの調整部品を本体４８内に出し入れすることができる。
【００４３】
図６は、図２におけるV−V断面図である。
前述のように、前身頃１１と後身頃１２とは脇部にて縫い合わされているが（図２参照）、両者の境界部分２３は、図６が示すように内側に屈曲されており、この部分が縫い合わされている。つまり、上記境界部分２３は、内側に折り込まれて縫合されている。このように境界部分２３が縫合されることによる作用効果については、後述される。
【００４４】
図１ないし図３が示すように、肩掛けベルト１３は、２本の伸縮性を有するベルト５８、５９を備えている。一方のベルト５８は、右前身頃１５と後身頃１２とを連結し、他方のベルト５９は、左前身頃１６と後身頃１２とを連結している。これらベルト５８、５９は、ベルト取付プレート６０に連結されている。各ベルト５８、５９は、その幅寸法が１０ｍｍ〜１００ｍｍに設定される。この範囲で幅寸法が設定されることによる作用効果については後述される。
【００４５】
図３が示すように、ベルト取付プレート６０は、略二等片三角形状を呈している。ベルト取付プレート６０は、その底縁部６１が後身頃１２の縁部に縫い付けられており、上方に延びている。各ベルト５８、５９は、ベルト取付プレート６０の両辺部６２、６３に連結されている。
【００４６】
ベルト取付プレート６０は、ゴムや樹脂からなるコア部材と、この表面および裏面を覆う布又は合成皮革とを備えている。つまり、ベルト取付プレート６０は、コア部材が布又は合成皮革によってサンドイッチされた構造であり、軽量でありながらその面に沿う方向の弾性に乏しい。また、ベルト取付プレート６０は、肉厚寸法が２ｍｍ程度に設定されており、これにより、一定の曲げ剛性も確保されている。さらに、ベルト取付プレート６０は、釣人が釣用ベスト１０を着用したときに当該釣人の背中の略中央に位置するようにその外形寸法が設定されている。
【００４７】
したがって、釣人が釣用ベスト１０を着用したときは、このベルト取付プレート６０は、釣人の背中にフィットし、一定の保持力で位置決めされることになる。言い換えると、仮にこのベルト取付プレート６０が無ければ、ベルト５８、５９は、直接後身頃１２に連結されることになるが、後身頃１２は、通常柔らかくて軽い生地により構成されるから、釣人の動作およびベルト５８、５９の伸縮に追従して後身頃１２が釣人の身体に対してずれてしまう。しかし、このベルト取付プレート６０が設けられることにより、ベルト取付プレート６０は、その一定の剛性により釣人の背中にフィットし、且つ後身頃１２は、釣人の身体に対して容易に変位しなくなる。
【００４８】
釣人は、本実施形態に係る釣用ベスト１０を着用することにより、ラインカッター３６等の小道具をメインポケット２５の前面２６に取り付けておくことができる。メインポケット２５の前面２６にはカバー２８が設けられているから、上記ラインカッター３６等は、カバー２８によって囲繞され、釣用ベスト１０の表面に露出することはない。したがって、釣人が実釣時に激しい動作をした場合（たとえば、投釣りの際に釣人がフルキャストした場合等）であっても、釣糸や釣人の腕等がラインカッター３６等に引っ掛かることはない。
【００４９】
一方、カバー２８は、メインポケット２５の前面２６を覆うものであるから、釣人は、メインポケット２５の下方から当該メインポケット２６とカバー２８との間に手を挿入し、ラインカッター等を把持し操作することができる。
【００５０】
しかも、メインポケット２５は前身頃１１の下部に設けられているから、釣人は、ラインカッター３６等を腰ポケット部１７から引き出す際に、釣用ベスト１０の他の部分が邪魔になることはない。具体的には、仮にメインポケット２５が前身頃１１の上方に設けられ、その下方に他のポケット等が設けられた場合には、引き出されたラインカッター３６等やピンオンリール３５の糸が他のポケット等に引っ掛かる場合があるが、この釣用ベスト１０では、そのような不都合はない。加えて、釣人は、通常、ラインカッター３６等の小道具は、自己の腰のあたりで操作するものであるから、メインポケット２５が前身頃１１の下部に設けられていることにより、ラインカッター３６等が収納されている位置と釣人が当該小道具を操作する位置とが近くなる。したがって、釣人は、ラインカッター３６等の小道具の操作をより円滑に行うことができる。
【００５１】
このように、釣人は、ラインカッター３６等の小道具を用いて仕掛けの交換作業等を円滑に行えると共に、激しい動作を強いられる釣りを行ったとしても、違和感のない快適な釣りを行うことができる。
【００５２】
また、本実施形態では、カバー２８が二分割されているから、釣人は、所望時にカバー２８を分割し、上カバー３７と下カバー３８との間からラインカッター３６等の小道具を引き出すことができる。したがって、釣人にとって、ラインカッター３６等の操作がよりしやすくなるという利点がある。加えて、カバー２８が二分割されることにより、ピンオンリール３５を上記環状部３４に取り付ける作業が容易になるという利点もある。
【００５３】
さらに、ラインカッター３６等の小道具を装着するための小道具装着具２７は、複数の環状部３４を備え、これらは左右方向に並設されている。これにより、各環状部３４にラインカッター３６の他に様々な種類の小道具が取り付けられる。また、ラインカッター３６等を保持するピンオンリール３５が唯一取り付けられる場合には、当該ピンオンリール３５は、釣人にとって操作しやすい位置に配置されるという利点もある。
【００５４】
また、本実施形態では、メインポケット２５の内側縁部３０が膨出形成され、外側縁部３３が前身頃１１に滑らかに連続しているから、釣人が激しい動作をした場合等であっても、釣糸や釣人の腕等がメインポケット２５に引っ掛かることはない。したがって、釣人は、一層快適な釣りを行うことができる。しかも、メインポケット２５の内側縁部３０が前方に膨出されているから、メインポケット２５の容積は一定以上に確保され、必要な仕掛けの調整部品がメインポケット２５に確実に収納される。
【００５５】
釣人は、この釣用ベスト１０を着用したときには、自己の体格に合わせて調整ベルト２２を締めることができる。具体的には、釣人は、調整ベルト２２を前方に引っ張ることにより又は後方に戻すことにより、前身頃１１と後身頃１２とを近接させ又は離反させ、これにより、釣用ベスト１０の胴囲寸法を自己の胴囲寸法に合わせる。このとき、調整ベルト２２は、腰ポケット部１７、２０に設けられたスリット４１に挿入される（図２、図４参照）。したがって、この調整ベルト２２が実釣時に釣糸や釣人の身体に接触することはなく、釣人は、なお一層快適な釣りを行うことができる。
【００５６】
しかも、前身頃１１と後身頃１２との境界部分２３は、前述のように内側に折り込まれているから、調整ベルト２２が締め付けられたときには、上記境界部分２３が内側に絞り込まれ、外側に膨らむことはない。したがって、実釣時においてこの境界部分２３が釣人の腕や釣糸等と接触することはなく、釣人は、さらに快適な釣りを行うことができる。
【００５７】
この釣用ベスト１０には、胸ポケット１８、２１が設けられているから、より多くの仕掛けの調整部品が収納される。しかも、例えば釣人がフルキャストする場合等には、この胸ポケット１８、２１が折り畳まれる。したがって、釣人が実釣中に激しい動作をするときであっても、胸ポケット１８、２１に釣糸や釣人の腕等が接触することが防止され、釣人は、一層快適な釣りを行うことができる。
【００５８】
加えて、釣用ベスト１０は上記肩掛けベルト１３を備えているから、釣用ベスト１０は、当該釣人の身体に確実に装着される。しかも、肩掛けベルト１３を構成するベルト５８、５９の幅寸法が上記寸法に設定されることにより、ベルト５８、５９が確実に釣人の身体に当接し、釣人が実釣時において激しい動作をした場合であっても、釣用ベスト１０が釣人の身体から容易にずれることはない。
【００５９】
しかも、ベルト５８、５９は、上記ベルト取付プレート６０に連結され、このベルト取付プレート６０は、前述のように、釣人の背中の略中央に一定の保持力で保持された状態で配置される。このため、各ベルト５８、５９は、確実に釣人の肩に掛け回され、ベルト５８、５９の伸縮に追従して後身頃１２が大きく変位することが抑制される。その結果、釣人が激しい動作をした場合であっても、ベルト５８、５９が容易に釣人の肩から外れてしまったり、後身頃１２が釣人の身体に対して容易にずれてしまうことがないという利点がある。このことは、実釣中に、腰ポケット部１７、２０や胸ポケット１８、２１が不用意に釣糸や釣人の腕その他の部分に接触することはなく、釣人は、さらに快適な釣りを行うことができることを意味する。
【産業上の利用可能性】
【００６０】
本発明は、釣人が着用する釣用ベストに適用され得る。
【図面の簡単な説明】
【００６１】
【図１】図１は、本発明の一実施形態に係る釣用ベストの正面図である。
【図２】図２は、本発明の一実施形態に係る釣用ベストの右側面図である。
【図３】図３は、本発明の一実施形態に係る釣用ベストの背面図である。
【図４】図４は、本発明の一実施形態に係る釣用ベストの要部拡大斜視図である。
【図５】図５は、本発明の一実施形態に係る釣用ベストの要部拡大斜視図である。
【図６】図６は、図２におけるV−V断面図である。
【符号の説明】
【００６２】
１０・・・釣用ベスト
１１・・・前身頃
１２・・・後身頃
１３・・・肩掛けベルト
１５・・・右前身頃
１６・・・左前身頃
１７・・・腰ポケット部
１８・・・胸ポケット
１９・・・調整ベルト
２０・・・腰ポケット部
２１・・・胸ポケット
２２・・・調整ベルト
２３・・・境界部分
２４・・・バックル
２５・・・メインポケット
２６・・・メインポケットの前面
２７・・・小道具装着具
２８・・・カバー
３０・・・内側縁部
３３・・・外側縁部
３４・・・環状部
３５・・・ピンオンリール
３６・・・ラインカッター
３７・・・上カバー
３８・・・下カバー
３９・・・上縁部
４０・・・側縁部
４１・・・スリット
４２・・・側縁部
４３・・・下縁部
４４・・・下縁部
４５・・・上カバーの下縁部
４６・・・下カバーの下縁部
４７・・・面ファスナー
４８・・・本体
４９・・・蓋
５０・・・側面部
５１・・・底面部
５２・・・蛇腹
５６・・・面ファスナー
５８・・・ベルト
５９・・・ベルト
６０・・・ベルト取付プレート
【図１】
2005220462.tif 000003
【図２】
2005220462.tif 000004
【図３】
2005220462.tif 000005
【図４】
2005220462.tif 000006
【図５】
2005220462.tif 000007
【図６】
2005220462.tif 000008